(57)【要約】【課題】映像源の画素間に存在する非画素領域が起因となる非映像領域が視認されてしまうことを抑制することができる表示装置を提供する。【解決手段】光学シート２０は、第１の単位形状と第２の単位形状とを有しており、第１の単位形状は、第１の方向に延在し、第１の方向に直交する第２の方向に配列されており、第２の単位形状は、第３の方向に延在し、第３の方向に直交する第４の方向に配列されており、前記映像源は、複数色の画素が並べて配置されて構成されており、同一色の画素同士の距離が最も近接している方向を第１近接配列方向として規定し、第１近接配列方向とは異なる方向であって、第１近接配列方向の次に同一色の画素同士の距離が近接している方向を第２近接配列方向として規定した場合、第２の方向及び第４の方向の少なくとも一方は、第１近接配列方向及び第２近接配列方向に対して５度以上の角度を持って配置されている。【選択図】図２
2018063319.tif 000002
【特許請求の範囲】
【請求項１】
映像光を出射する映像源と、
前記映像光を拡大して観察者側へ出射するレンズと、
前記映像源及び前記レンズ間、又は、前記レンズの観察者側に配置される光学シートと、
を備え、
前記光学シートは、凸状又は凹状に形成されている単位形状を有し、
前記単位形状は、少なくとも光学シートの厚み方向に直交するシート面内の特定の配列方向に配列されており、
前記映像源は、複数色の画素が並べて配置されて構成されており、
同一色の画素同士の距離が最も近接している方向を第１近接配列方向として規定し、
前記第１近接配列方向とは異なる方向であって、前記第１近接配列方向の次に同一色の画素同士の距離が近接している方向を第２近接配列方向として規定した場合、
前記特定の配列方向は、前記第１近接配列方向及び第２近接配列方向に対して５度以上の角度を持って配置されている、表示装置。
【請求項２】
請求項１に記載の表示装置において、
前記第１近接配列方向及び前記第２近接配列方向とは異なる方向であって、前記第２近接配列方向の次に同一色の画素同士の距離が最も近接している方向を第３近接配列方向として規定し、
前記第１近接配列方向及び前記第２近接配列方向及び前記第３近接配列方向とは異なる方向であって、前記第３近接配列方向の次に同一色の画素同士の距離が最も近接している方向を第４近接配列方向として規定した場合、
前記特定の配列方向は、前記第１近接配列方向及び第２近接配列方向に対して６度以上の角度を持って配置されており、
前記特定の配列方向は、前記第３近接配列方向及び第４近接配列方向に対して３度以上の角度を持って配置されていること、
を特徴とする表示装置。
【請求項３】
請求項１又は請求項２に記載の表示装置において、
前記光学シートは、
２つの層間の界面である第１の界面に凸状又は凹状に形成されている第１の単位形状と、
前記第１の界面とは異なる２つの層間の界面である第２の界面に凸状又は凹状に形成されている第２の単位形状と、
を有しており、
前記第１の単位形状は、前記光学シートの厚み方向に直交するシート面内の第１の方向に延在し、前記第１の方向に直交する第２の方向に配列されており、
前記第２の単位形状は、前記光学シートの厚み方向に直交するシート面内の第３の方向に延在し、前記第３の方向に直交する第４の方向に配列されており、
前記特定の配列方向は、前記第２の方向及び前記第４の方向であること、
を特徴とする表示装置。
【請求項４】
請求項３に記載の表示装置において、
前記第１の界面において隣接する層の屈折率の差である第１の屈折率差Δｎ１が、０．００５≦Δｎ１≦０．１を満たしており、
前記第２の界面において隣接する層の屈折率の差である第２の屈折率差Δｎ２が、０．００５≦Δｎ２≦０．１を満たしていること、
を特徴とする表示装置。
【請求項５】
請求項１から請求項４までのいずれか１項に記載の表示装置において、
前記光学シートを保持する保持部を備えており、
前記光学シートのシート面内における回転方向の位置を前記映像源に対して規定するための位置決め形状又は位置決め指標を前記光学シートと前記保持部との少なくとも一方に備えること、
を特徴とする表示装置。
【請求項６】
請求項１から請求項５までのいずれか１項に記載の表示装置において、
前記光学シートと前記映像源との間の距離は、前記画素の配列ピッチの１００倍以上であること、
を特徴とする表示装置。
【発明の詳細な説明】
【技術分野】
【０００１】
本発明は、観察者に映像を表示する表示装置に関するものである。
【背景技術】
【０００２】
従来、ＬＣＤ（Ｌｉｑｕｉｄ  Ｃｒｙｓｔａｌ  Ｄｉｓｐｌａｙ）や有機ＥＬディスプレイ等の映像源による映像を、光学系を介して観察者に観察させる頭部装着型の表示装置、いわゆるヘッドマウントディスプレイ（ＨＭＤ）が提案されている（例えば、特許文献１）。このような頭部装着型の表示装置は、レンズ等の光学系によって映像源から投射される映像光を拡大して鮮明な映像を観察者に表示している。
このような表示装置に用いられる映像源は、映像を構成する複数の画素領域と、各画素領域間に設けられ、映像の表示に寄与しない非画素領域とが設けられている。このような映像源から出射された映像光をレンズにより拡大した場合、画素領域により構成される映像だけでなく、非画素領域が起因となる非映像領域も拡大されてしまうこととなり、映像だけでなく非映像領域も観察者に視認されてしまう場合があり、鮮明な映像の表示の妨げとなる場合があった。
【先行技術文献】
【特許文献】
【０００３】
【特許文献１】特表２０１１−５０９４１７号公報
【発明の概要】
【発明が解決しようとする課題】
【０００４】
本発明の課題は、映像源の画素間に存在する非画素領域が起因となる非映像領域が視認されてしまうことを抑制することができる表示装置を提供することである。
【課題を解決するための手段】
【０００５】
本発明は、以下のような解決手段により、前記課題を解決する。なお、理解を容易にするために、本発明の実施形態に対応する符号を付して説明するが、これに限定されるものではない。
【０００６】
第１の発明は、映像光を出射する映像源（１１）と、前記映像光を拡大して観察者側へ出射するレンズ（１２）と、前記映像源（１１）及び前記レンズ（１２）間、又は、前記レンズ（１２）の観察者側に配置される光学シート（２０）と、を備え、前記光学シート（２０）は、凸状又は凹状に形成されている単位形状（２１ａ，２３ａ）を有し、前記単位形状（２１ａ，２３ａ）は、少なくとも光学シート（２０）の厚み方向に直交するシート面内の特定の配列方向に配列されており、前記映像源（１１）は、複数色の画素が並べて配置されて構成されており、同一色の画素同士の距離が最も近接している方向を第１近接配列方向として規定し、前記第１近接配列方向とは異なる方向であって、前記第１近接配列方向の次に同一色の画素同士の距離が近接している方向を第２近接配列方向として規定した場合、前記特定の配列方向は、前記第１近接配列方向及び第２近接配列方向に対して５度以上の角度を持って配置されている、表示装置（１）である。
【０００７】
第２の発明は、請求項１に記載の表示装置（１）において、前記第１近接配列方向及び前記第２近接配列方向とは異なる方向であって、前記第２近接配列方向の次に同一色の画素同士の距離が最も近接している方向を第３近接配列方向として規定し、前記第１近接配列方向及び前記第２近接配列方向及び前記第３近接配列方向とは異なる方向であって、前記第３近接配列方向の次に同一色の画素同士の距離が最も近接している方向を第４近接配列方向として規定した場合、前記特定の配列方向は、前記第１近接配列方向及び第２近接配列方向に対して６度以上の角度を持って配置されており、前記特定の配列方向は、前記第３近接配列方向及び第４近接配列方向に対して３度以上の角度を持って配置されていること、を特徴とする表示装置（１）である。
【０００８】
第３の発明は、第１の発明又は第２の発明に記載の表示装置（１）において、前記光学シート（２０）は、２つの層間の界面である第１の界面に凸状又は凹状に形成されている第１の単位形状（２１ａ）と、前記第１の界面とは異なる２つの層間の界面である第２の界面に凸状又は凹状に形成されている第２の単位形状（２３ａ）と、を有しており、前記第１の単位形状（２１ａ）は、前記光学シート（２０）の厚み方向に直交するシート面内の第１の方向に延在し、前記第１の方向に直交する第２の方向に配列されており、前記第２の単位形状（２３ａ）は、前記光学シート（２０）の厚み方向に直交するシート面内の第３の方向に延在し、前記第３の方向に直交する第４の方向に配列されており、前記特定の配列方向は、前記第２の方向及び前記第４の方向であること、を特徴とする表示装置（１）である。
【０００９】
第４の発明は、第３の発明に記載の表示装置（１）において、前記第１の界面において隣接する層の屈折率の差である第１の屈折率差Δｎ１が、０．００５≦Δｎ１≦０．１を満たしており、前記第２の界面において隣接する層の屈折率の差である第２の屈折率差Δｎ２が、０．００５≦Δｎ２≦０．１を満たしていること、を特徴とする表示装置（１）である。
【００１０】
第５の発明は、第１の発明から第４の発明までのいずれかに記載の表示装置（１）において、前記光学シート（２０）を保持する保持部（３２）を備えており、前記光学シート（２０）のシート面内における回転方向の位置を前記映像源（１１）に対して規定するための位置決め形状又は位置決め指標を前記光学シート（２０）と前記保持部（３２）との少なくとも一方に備えること、を特徴とする表示装置（１）である。
【００１１】
第６の発明は、請求項１から請求項５までのいずれか１項に記載の表示装置（１）において、前記光学シート（２０）と前記映像源（１１）との間の距離は、前記画素の配列ピッチの１００倍以上であること、を特徴とする表示装置（１）である。
【発明の効果】
【００１２】
本発明によれば、映像源の画素間に存在する非画素領域が起因となる非映像領域が視認されてしまうことを抑制することができる表示装置を提供することができる。
【図面の簡単な説明】
【００１３】
【図１】本実施形態の頭部装着型の表示装置１を説明する図である。図１は、表示装置１を鉛直方向上側から見た図である。
【図２】本実施形態の表示装置１に用いられる光学シート２０と保持部３２と映像源１１とを観察者側（−Ｙ側）から見た図である。
【図３】本実施形態の表示装置１に用いられる光学シート２０の詳細を説明する図である。
【図４】本実施形態の表示装置１に用いられる光学シート２０の輝度と拡散角との関係を示す図である。
【図５】本実施形態の表示装置１によって表示された画像の例を示す図である。
【図６】比較例の表示装置５を説明する図である。
【図７】角度θと色にじみとの関係を評価した結果をまとめた図である。
【図８】映像源１１の画素配列の例を示す図であって、緑（Ｇ）の画素の間隔について説明する図である。
【図９】映像源１１の画素配列の例を示す図であって、青（Ｂ）の画素の間隔について説明する図である。
【図１０】角度θをどのような角度とすることが望ましいかを説明する図である。
【図１１】光学シート２０の別の形態を説明する図である。
【図１２】光学シート２０に設けられる第１の単位形状２１ａの別の形態を示す図である。
【図１３】本実施形態の表示装置１に用いられる光学シート２０の他の形態を説明する図である。
【図１４】図１３に示す他の形態の光学シート２０の輝度と拡散角との関係を示す図である。
【図１５】図１３に示す光学シート２０の別の形態を説明する図である。
【図１６】図１３に示す光学シート２０の別の形態を説明する図である。
【図１７】図１３に示す光学シート２０の別の形態を説明する図である。
【図１８】光学シート２０の別の形態を説明する図である。
【図１９】光学シート２０の別の形態を説明する図である。
【図２０】本実施形態の頭部装着型の表示装置１の他の形態を説明する図である。
【発明を実施するための形態】
【００１４】
以下、図面等を参照して、本発明の実施形態について説明する。なお、図１を含め、以下に示す各図は、模式的に示した図であり、各部の大きさ、形状は、理解を容易にするために、適宜誇張している。
本明細書中において、記載する各部材の寸法等の数値及び材料名等は、実施形態としての一例であり、これに限定されるものではなく、適宜選択して使用してよい。
本明細書中において、形状や幾何学的条件を特定する用語、例えば、平行や直交等の用語については、厳密に意味するところに加え、同様の光学的機能を奏し、平行や直交と見なせる程度の誤差を有する状態も含むものとする。
本明細書中において、シート面とは、シート状の部材において、そのシート全体として見たときにおける、シートの平面方向となる面を示すものであるとする。
【００１５】
（実施形態）
図１は、本実施形態の頭部装着型の表示装置１を説明する図である。図１は、表示装置１を鉛直方向上側から見た図である。
なお、図１を含め以下に示す図中及び以下の説明において、理解を容易にするために、観察者がその頭部に表示装置１を装着した状態において、鉛直方向（上下方向）をＺ方向とし、水平方向をＸ方向及びＹ方向とする。また、この水平方向のうち、光学シート２０の厚み方向をＹ方向とし、その厚み方向に直交する左右方向をＸ方向とする。このＹ方向の−Ｙ側を観察者側とし、＋Ｙ側を映像源側（背面側）とする。
【００１６】
図２は、本実施形態の表示装置１に用いられる光学シート２０と保持部３２と映像源１１とを観察者側（−Ｙ側）から見た図である。
図２中には、上述したＸ−Ｙ−Ｚの方向に加えて、Ｙ軸まわりで（Ｘ−Ｚ平面内で）角度θだけ回転した（傾いた）第２の方向を示す記号として、ＳＸ−ＳＹ（Ｙ）−ＳＺを示している。なお、ＳＹ方向は、上述のＹ方向と一致している。このＳＸ−ＳＹ−ＳＺの方向は、光学シート２０の方向を示すために設けている。
【００１７】
図３は、本実施形態の表示装置１に用いられる光学シート２０の詳細を説明する図である。図３（ａ）は、光学シート２０の水平面（ＳＸ−ＳＹ面）に平行な断面における断面図であり、図３（ｂ）は、図３（ａ）のｂ部断面図である。図３（ｃ）は、図３（ａ）のｃ部詳細を示す図であり、図３（ｄ）は、図３（ｂ）のｄ部詳細を示す図である。
図４は、本実施形態の表示装置１に用いられる光学シート２０の輝度と拡散角との関係を示す図である。
図５は、本実施形態の表示装置１によって表示された画像の例を示す図である。
図６は、比較例の表示装置５を説明する図である。図６（ａ）は、比較例の表示装置５の構成を説明する図であり、図１に対応する図である。図６（ａ）では、理解を容易にするために、表示装置５として、映像源５１とレンズ５２のみを示している。図６（ｂ）は、比較例の表示装置５によって表示された画像の例を示す図である。
【００１８】
表示装置１は、観察者がその頭部に装着し、観察者の眼前に映像を表示する、いわゆるヘッドマウントディスプレイ（ＨＭＤ）である。図１に示すように、本実施形態の頭部装着型の表示装置１は、筐体３０の内側に、映像源１１と、レンズ１２と、光学シート２０とを備えており、筐体３０が観察者の眼前となるようにその頭部に装着することによって、映像源１１に表示された映像を光学シート２０、レンズ１２を介して観察者の眼Ｅに視認させることができる。
なお、図１において、表示装置１は、観察者の両眼Ｅ１，Ｅ２に対して映像を表示する例を挙げて説明するが、これに限定されるものでなく、例えば、観察者の片側の眼Ｅ１に対して配置され、その眼Ｅ１に対して映像を表示する形態としてもよい。
【００１９】
筐体３０は、左右方向に横長の矩形の箱型の筐体であり、その内側に、映像源１１を保持する保持部３１、光学シート２０（２０Ａ，２０Ｂ）を保持する保持部３２、レンズ１２（１２Ａ，１２Ｂ）を保持する保持部３３を備えている。この筐体３０は、例えば、不図示のベルト等により、観察者の頭部に装着可能である。
保持部３１は、映像源１１を保持する部材であり、その映像源１１の表示面１１ａ側の面上、かつ、観察者の眼Ｅ（Ｅ１，Ｅ２）及びレンズ１２（１２Ａ，１２Ｂ）に対応する位置に開口部３１１（３１１Ａ，３１１Ｂ）を有している。本実施形態では、映像源１１は、この保持部３１（すなわち、表示装置１）に着脱可能に保持される。映像源１１から出射した映像光Ｌは、この開口部３１１（３１１Ａ，３１１Ｂ）を通ってレンズ１２（１２Ａ，１２Ｂ）へ入射する。
【００２０】
保持部３２は、保持部３１及び映像源１１よりも観察者側（−Ｙ側）に位置し、光学シート２０を保持する部材である。保持部３２は、開口部３１１（３１１Ａ，３１１Ｂ）に対応する位置に設けられた開口部３２１（３２１Ａ，３２１Ｂ）内に、光学シート２０（２０Ａ，２０Ｂ）が嵌めこまれ、保持されている。
【００２１】
光学シート２０は、後述するように直交する２つの単位形状を備えている。そして、光学シート２０は、この単位形状の配列方向（言い替えると延在方向）が映像源１１における画素配列の特定の画素方向（第１近接配列方向、第２近接配列方向、第３近接配列方向、第４近接配列方向）に対して、角度を持って配置されている。この特定の画素方向については、後述するが、光学シート２０は、保持部３２に対して特定の配列方向（上述の特定の画素方向に対して角度を持った方向）を向いて配置可能なように、位置決め形状としての凸部２０ａが保持部３２の開口部３２１に設けられた位置決め形状としての凹部３２１ａに嵌め込まれている。
図２中には、ＳＸ方向とＳＺ方向を併記しているが、この方向が光学シート２０の単位形状の配列方向及び延在方向と一致している。図２の例では、角度θだけ光学シート２０がＸ方向及びＹ方向に対して傾いて（回転して）配置されている。
なお、本実施形態では、光学シート２０の外形形状を図２のような円形を基本としたが、例えば、光学シート２０の形状を多角形形状として、装着される向き（ＸＹ面内での回転方向の位置）を規定するようにしてもよい。
【００２２】
この保持部３２と前述の保持部３１とは、一体となってＹ方向に移動可能であり、Ｙ方向において所望の位置で固定可能である。したがって、観察者の視力等に応じて、映像源１１及び光学シート２０とレンズ１２との間の距離（レンズ１２に対するＹ方向における位置）を調整可能（ピント調整可能）である。なお、これに限らず、保持部３１及び保持部３２は、Ｙ方向の位置が固定された形態としてもよい。
【００２３】
保持部３３は、保持部３２及び光学シート２０よりも観察者側（−Ｙ側）に位置し、レンズ１２（１２Ａ，１２Ｂ）を保持する部材である。この保持部３３は、光学シート２０（２０Ａ，２０Ｂ）に対応する位置に開口部３３１（３３１Ａ，３３１Ｂ）を有し、その開口部３３１（３３１Ａ，３３１Ｂ）内にレンズ１２（１２Ａ，１２Ｂ）が嵌めこまれ、保持されている。
【００２４】
映像源１１は、映像光Ｌを出射し、表示面１１ａに映像を表示するマイクロディスプレイであり、例えば、透過型の液晶表示デバイスや、反射型の液晶表示デバイス、有機ＥＬ等を使用することができる。本実施形態の映像源１１は、例えば、対角が５インチの有機ＥＬディスプレイが使用される。
映像源１１は、その表示面１１ａが観察者側（−Ｙ側）となるようにして、保持部３１に保持されている。
なお、本実施形態では、この表示装置１は、映像源１１を１つ備える例を示したが、これに限らず、例えば、後述するレンズ１２Ａ，１２Ｂ及び観察者の眼Ｅ１，Ｅ２にそれぞれ対応する２台の映像源を備える形態としてもよい。
【００２５】
レンズ１２（１２Ａ，１２Ｂ）は、映像源１１から出射された映像光Ｌを拡大して観察者側に出射する凸レンズである。本実施形態では、映像源１１及び光学シート２０（２０Ａ，２０Ｂ）よりも観察者側（−Ｙ側）に配置されている。レンズ１２は、透光性の高いガラス製又は樹脂製である。
レンズ１２の映像源側（背面側、＋Ｙ側）の表面には、反射抑制層１２ａが形成されている。この反射抑制層１２ａは、例えば、汎用の反射防止機能を有する材料（例えば、フッ化マグネシウム（ＭｇＦ２）、二酸化ケイ素（ＳｉＯ２）、フッ素系光学用コーティング剤等）を所定の膜厚でコーティングする等により設けてもよいし、光の波長より小さなピッチで形成された微小な凹凸形状を有するモスアイ構造を光の入射側の面に有することにより反射抑制機能を奏する層をレンズ１２の映像源側に一体に積層して設けてもよい。
【００２６】
このような反射抑制層１２ａを設けることにより、レンズ１２に入射する光がレンズ１２の映像源側で反射して光学シート２０側へ向かい、光学シート２０の表面で再度反射する等により迷光となることを抑制し、映像のコントラストや明るさの向上を図ることができる。
また、反射抑制層１２ａは、さらに、レンズ１２の観察者側（−Ｙ側）の面に設けてもよい。この位置にさらに反射抑制層１２ａを設けることにより、レンズ１２から映像光が出射する際に、レンズ１２と空気との界面で反射し、レンズ１２内で迷光となることを抑制でき、映像のコントラスト等を向上できる。
【００２７】
光学シート２０は、図１に示すように、映像源１１とレンズ１２との間に配置されている。光学シート２０は、映像源１１から出射した映像光Ｌを微少に拡散する拡散機能を有する光透過性のあるシートである。
本実施形態では、観察者の両眼Ｅ１，Ｅ２に対応して、それぞれ、レンズ１２Ａ，１２Ｂ及び光学シート２０Ａ，２０Ｂが設けられている。しかし、これに限らず、例えば、レンズ１２Ａ，１２Ｂの領域をカバーできる程度に大きい１枚の光学シート２０を、レンズ１２よりも映像源側（背面側、−Ｙ側）に配置する形態としてもよい。ただし、光学シート２０を１枚で構成する場合においても、光学シート２０は、保持部３２に対して所定の方向（上述の特定の画素方向に対して角度を持った方向）を向いて配置可能なように構成する。
【００２８】
従来、主に使用されている頭部装着型の表示装置５（以下、比較例の表示装置５という）は、図６（ａ）に示すように、上述の光学シート２０を備えていない形態であり、映像源５１から出射された映像光Ｌをレンズ５２により拡大して、その映像を観察者に表示していた。
映像源５１及び映像源１１に用いられる有機ＥＬ等のディスプレイは、その表示部に映像を形成する画素領域Ｇ１が複数配列されており、また、各画素領域Ｇ１間には映像の形成に寄与しない非画素領域Ｇ２が設けられている。そのため、比較例の表示装置５では、映像源５１から出射する映像光Ｌにより表示される映像は、レンズ５２を介して拡大された場合に、図６（ｂ）に示すように、画素領域Ｇ１による映像Ｆ１だけでなく、非画素領域Ｇ２が起因となる非映像領域Ｆ２も拡大されてしまう。そして、非映像領域Ｆ２も明瞭に観察者に視認され、鮮明な映像表示の妨げとなってしまう場合があった。
【００２９】
これに対して、本実施形態の表示装置１では、上述の光学シート２０が設けることにより、映像源１１から出射した映像光を微少に拡散させ、図５に示すように、その拡散された映像光によって、非画素領域Ｇ２が起因となる非映像領域Ｆ２が観察者に視認されてしまうことを抑制することができる。
【００３０】
本実施形態の光学シート２０は、図３に示すように、映像源側（背面側、＋Ｙ（ＳＹ）側）から順に、反射抑制層２４、第１光学層２１、第２光学層２２、第３光学層２３が積層されている。光学シート２０は、この第１光学層２１及び第２光学層２２の間の第１の界面と、第２光学層２２及び第３光学層２３の間の第２の界面とに、それぞれ第１の単位形状２１ａ、第２の単位形状２３ａが複数形成されている。
第１光学層２１は、光学シート２０の厚み方向（Ｙ（ＳＹ）方向）において、第２光学層２２及び第３光学層２３よりも映像源側（＋Ｙ（ＳＹ）側）に位置し、光透過性を有する層である。第１光学層２１の映像源側の面は、略平坦に形成されている。第１光学層２１の観察者側（−Ｙ（ＳＹ）側）の面には、図３（ａ）に示すように、凸状の第１の単位形状２１ａが複数形成されている。第１の単位形状２１ａは、観察者側（−Ｙ（ＳＹ）側）に凸となっている。
この第１の単位形状２１ａは、第１光学層２１の観察者側の面に沿うようにして、第１の方向（ＳＺ方向）に延在し、延在方向に直交する第２の方向（ＳＸ方向）に複数配列されている。また、第１の単位形状２１ａは、ＳＸ方向及び厚み方向に平行な面（ＳＸ−ＳＹ面）における断面形状が略円弧状に形成されたレンチキュラーレンズ形状である。ここで、略円弧状とは、真円の円弧だけでなく、楕円や長円等の一部を含む曲線状の形状を含むものをいう。
【００３１】
第３光学層２３は、光学シート２０の最も観察者側（−Ｙ（ＳＹ）側）に位置する光透過性を有する層である。第３光学層２３の観察者側の面は、光学シート２０を透過した映像光が出射する面であり、略平坦に形成されている。第３光学層２３の映像源側（＋Ｙ（ＳＹ）側）の面は、図３（ｂ）に示すように、凸状の第２の単位形状２３ａが複数形成されている。第２の単位形状２３ａは、映像源側（＋Ｙ（ＳＹ）側）に凸となっている。
この第２の単位形状２３ａは、第３光学層２３の映像源側の面に沿うようにして、第３の方向（ＳＸ方向）に延在し、延在方向に直交する第４の方向（ＳＺ方向）に複数配列されており、ＳＺ方向及び厚み方向に平行な面（ＳＹ−ＳＺ面）における断面形状が略円弧状に形成されたレンチキュラーレンズ形状である。
【００３２】
光学シート２０の厚み方向（シート面の法線方向、Ｙ（ＳＹ）方向）から見て、第３光学層２３に設けられた第２の単位形状２３ａの延在方向（ＳＸ方向）と第１光学層２１に設けられた第１の単位形状２１ａの延在方向（ＳＺ方向）とは、交差（直交）している。
また、光学シート２０の厚み方向（シート面の法線方向、Ｙ（ＳＹ）方向）から見て、第１の単位形状２１ａの配列方向（ＳＸ方向）と第２の単位形状２３ａの配列方向（ＳＺ方向）とは、交差（直交）している。
したがって、第１の方向と第４の方向とは同一方向となり、また、第２の方向と第３の方向とは同一方向となっている。ただし、第１の単位形状２１ａの延在方向と第２の単位形状２３ａの延在方向とは、直交させなくてもよい。
【００３３】
第２光学層２２は、第１光学層２１及び第３光学層２３間に設けられた光透過性を有する層である。第２光学層２２の両面は、第１光学層２１の第１の単位形状２１ａ側の面と、第３光学層２３の第２の単位形状２３ａ側の面とが互いに対向するようにして配置されている。
【００３４】
本実施形態の光学シート２０は、映像源側の面から入射角度０°で入射して観察者側に出射した透過光の半値角αが、０．０５°≦α≦０．２°を満たし、透過光の最大輝度が１／２０となる拡散角βが、β≦５×αを満たすようにして形成されている。
ここで、光学シート２０の半値角αとは、図４に示すように、光の輝度が最大値となる光学シート２０のシート面の観察位置から、画面左右方向及び画面上下方向において、光の輝度が最大値の半分の値になる観察角度のうち絶対値が最も大きい角度をいう。また、拡散角βは、光の輝度が最大値となる光学シート２０のシート面の観察位置から、画面左右方向及び画面上下方向において、光の輝度が最大値の１／２０の値になる観察角度のうち絶対値が最も大きい角度をいう。
また、本実施形態の光学シート２０は、互いに隣接する光学層の屈折率差、すなわち、第１光学層２１及び第２光学層２２の屈折率差である第１の屈折率差Δｎ１と、第２光学層２２及び第３光学層２３の屈折率差である第２の屈折率差Δｎ２とが、それぞれ０．００５≦Δｎ１≦０．１、０．００５≦Δｎ２≦０．１を満たすようにして形成されている。
【００３５】
このように、光学シート２０の半値角α及び拡散角βの値の範囲と、第１の単位形状２１ａ，第２の単位形状２３ａが形成された面を界面として互いに隣接する層の第１の屈折率差Δｎ１，第２の屈折率差Δｎ２の範囲とを規定することによって、本実施形態の表示装置１は、映像源１１から出射した映像光ＬをＳＺ方向やＳＸ方向に微少に拡散することができる。これにより、表示装置１は、観察者に鮮明な映像を表示するとともに、映像光Ｌの微少な拡散によって映像源１１の非画素領域Ｇ２が起因となる非映像領域Ｆ２が目立ってしまうことを抑制することができる。
上述の効果をより効果的に奏する観点から、光学シート２０の拡散角βは、半値角αに略等しいか、それに近い値であることがより望ましい。
【００３６】
仮に、半値角αが０．０５°未満である場合、光学シートによって光の拡散される範囲が狭くなりすぎてしまい、非画素領域Ｇ２が起因となる非映像領域Ｆ２を目立たなくする効果が弱まり、非映像領域Ｆ２が観察者に視認されやすくなるので望ましくない。また、半値角αが０．２°よりも大きい場合、映像光の拡散される範囲が広くなりすぎてしまい、映像の鮮明さが低下してしまうので望ましくない。
また、仮に、拡散角βが５×αよりも大きい場合、輝度の低い映像光の拡散される範囲が広くなりすぎてしまい、映像の鮮明さが低下してしまうので望ましくない。
さらに、第１の屈折率差Δｎ１，第２の屈折率差Δｎ２が０．００５未満である場合、光学層間の屈折率差が小さくなりすぎ、光学層間における映像光の屈折が生じ難くなってしまい、十分な拡散作用が発揮されなくなるため望ましくない。また、第１の屈折率差Δｎ１，第２の屈折率差Δｎ２が０．１よりも大きい場合、光学層間における光の屈折が大きくなりすぎてしまい、光学シートを透過する映像光が不鮮明になってしまうので望ましくない。
【００３７】
第１光学層２１及び第３光学層２３は、それぞれ、光透過性の高いＰＣ（ポリカーボネート）樹脂、ＭＳ（メチルメタクリレート・スチレン）樹脂、アクリル系樹脂等から形成されており、本実施形態では、第１光学層２１及び第３光学層２３はともに同じ材料で形成され、同じ屈折率を有している。
また、第２光学層２２は、光透過性の高いウレタンアクリレート樹脂や、エポキシアクリレート樹脂等の紫外線硬化型樹脂等から形成されており、本実施形態では、第１光学層２１及び第３光学層２３の屈折率よりも低い屈折率で形成されている。
【００３８】
また、第１の単位形状２１ａのＳＸ−ＳＹ断面における断面形状が円弧状に形成されている場合、図３（ｃ）に示すように、第１光学層２１に形成される第１の単位形状２１ａの第２の方向（ＳＸ方向）における配列ピッチをＰ１とし、第１の単位形状２１ａのＳＸ−ＳＹ断面における円弧状の断面形状の曲率半径をＲ１としたときに、第１の単位形状２１ａは、０．０５≦Ｐ１／Ｒ１≦１．０の範囲で形成されるのが望ましい。
また同様に、第２の単位形状２３ａのＳＹ−ＳＺ断面における断面形状が円弧状に形成されている場合、図３（ｄ）に示すように、第３光学層２３に形成される第２の単位形状２３ａの第４の方向（ＳＺ方向）における配列ピッチをＰ２とし、第２の単位形状２３ａのＳＹ−ＳＺ断面における円弧状の断面形状の曲率半径をＲ２としたときに、第２の単位形状２３ａは、０．０５≦Ｐ２／Ｒ２≦１．０の範囲で形成されるのが望ましい。
【００３９】
このように第１の単位形状２１ａ及び第２の単位形状２３ａの配列ピッチＰ１，Ｐ２及び曲率半径Ｒ１，Ｒ２を上述の範囲で形成することによって、表示装置１は、映像源１１から出射された映像光を効率よく均等に上下方向及びＳＸ方向に微少に拡散させることができる。
なお、本実施形態の光学シート２０は、第１の単位形状２１ａと第２の単位形状２３ａとは、その断面形状が同じ形状であり、Ｐ１＝Ｐ２、Ｒ１＝Ｒ２となるように形成されている。
【００４０】
また、本実施形態では、第１の単位形状２１ａの配列ピッチＰ１及び第２の単位形状２３ａの配列ピッチＰ２は、それぞれ、０．１ｍｍ≦Ｐ１≦０．５ｍｍ、０．１≦Ｐ１≦０．５ｍｍを満たすことが好ましい。仮に、配列ピッチＰ１，Ｐ２が０．１ｍｍ未満であると、このような寸法の第１の単位形状２１ａ，第２の単位形状２３ａを製造するのが困難となり、また、光の回折現象が生じやすくなり、回折光の影響によって映像が不鮮明になるので好ましくない。また、配列ピッチＰ１，Ｐ２が０．５ｍｍよりも大きい場合、隣り合う単位形状間のラインが視認されてしまう場合があり、好ましくない。
【００４１】
さらに、本実施形態の光学シート２０は、第１光学層２１の映像源側（背面側、＋ＳＹ側）に、反射抑制層２４が設けられている。
この反射抑制層２４は、レンズ１２の映像源側に設けられた反射抑制層１２ａと同様に、例えば、汎用の反射防止機能を有する材料（例えば、フッ化マグネシウム（ＭｇＦ２）、二酸化ケイ素（ＳｉＯ２）、フッ素系光学用コーティング剤等）を所定の膜厚でコーティングする等により設けてもよい。また、映像源１１が表示装置に固定され、着脱不可能である場合等には、光の波長より小さなピッチで形成された微小な凹凸形状を有するモスアイ構造を光の入射側の面に有することにより反射抑制機能を奏する層を光学シート２０の映像源側に一体に積層して設けてもよい。
【００４２】
反射抑制層２４を光学シート２０の映像源側に設けることにより、光学シート２０に入射する光が光学シート２０の映像源側の面で反射して映像源１１側へ向かうことによる映像の明るさの低下を抑制できる。
また、反射抑制層２４を光学シート２０の映像源側に設けることにより、光学シート２０に入射する光が光学シート２０の映像源側の面で反射して映像源１１側へ向かい、映像源１１の表示面１１ａで再度反射する等により迷光となることを抑制し、映像のコントラスト向上を図ることができる。
【００４３】
なお、反射抑制層２４は、さらに、光学シート２０の観察者側（−Ｙ（ＳＹ）側）の面に設けてもよい。この位置にさらに反射抑制層２４を設けることにより、光学シート２０から映像光が出射する際に、光学シート２０と空気との界面で反射し、光学シート２０内で迷光となることを抑制でき、映像のコントラスト等を向上できる。
また、光学シート２０の映像源側（＋Ｙ（ＳＹ）側）の面に、ハードコート機能や、防汚機能等を有する層を設けてもよい。このような層を設けることにより、映像源１１が筐体３０に着脱可能である場合に、映像源１１を筐体３０から外したときに、光学シート２０が傷ついたり、汚れが付着したりして、映像の視認の妨げになることを抑制できる。
【００４４】
本実施形態の表示装置１は、Ｙ（ＳＹ）方向における映像源１１の表示面１１ａから光学シート２０の映像源側（−Ｙ（ＳＹ）側）の面までの距離Ｄ１が、映像源１１の画素の配列ピッチの寸法ｄ（画素領域Ｇ１の複数の配列方向において配列ピッチが異なる場合は、小さい方の配列ピッチとする）の１００倍以上である。仮に、距離Ｄ１が、寸法ｄの１００倍未満であると、画素領域Ｇ１によるモアレが視認されたり、非画素領域Ｇ２に起因する非映像領域が目立って観察されやすくなるため、好ましくない。
一般的に、表示装置１に用いられる映像源１１の画素の配列ピッチｄは、４００〜５００ｐｐｉ（ｐｉｘｅｌ  ｐｅｒ  ｉｎｃｈ）である。本実施形態では、例えば、映像源１１の画素の配列ピッチｄは、ｄ＝０．０５０８ｍｍ（５００ｐｐｉ）であり、映像源１１の表示面１１ａから光学シート２０の映像源側（−Ｙ（ＳＹ）側）の面までのＹ（ＳＹ）方向における距離Ｄ１は、５．０８ｍｍである。
したがって、本実施形態の表示装置１では、光学シート２０が映像源１１から十分な間隔を空けて配置されているので、光学シート２０の配置方向に関わりなく（θの値に関わりなく）、モアレの発生は抑制されている。
【００４５】
また、本実施形態の表示装置１は、上述のように、レンズ１２よりも映像源側（＋Ｙ（ＳＹ）側）に光学シート２０が位置するので、映像源１１が筐体３０に着脱可能である表示装置１において映像源１１を筐体３０から外した場合等に、筐体内に侵入した埃やゴミ等の異物によってレンズ１２が破損したり汚れたりすることがない。また、光学シート２０の映像源側が異物等で汚れた場合にも、単位形状を傷つけることなく、ふき取ることが可能である。
また、特に、モスアイ構造を有する反射抑制層に関しては、高い反射抑制効果を有しているが、破損しやすいために観察者の指等が触れない位置に設けることが重要となる。本実施形態の表示装置１では、レンズ１２よりも映像源側（＋Ｙ（ＳＹ）側）に光学シート２０が位置するので、そのような反射抑制層を光学シート２０の観察者側やレンズ１２の映像源側等に設けることができ、より高い反射抑制効果が得られ、映像のコントラストや明るさの向上を図ることができる。
【００４６】
次に、映像源１１から出射された映像光Ｌが観察者の眼Ｅ（Ｅ１，Ｅ２）に届くまでの動作について説明する。
図１に示すように、映像源１１から出射した映像光Ｌは、光学シート２０（２０Ａ，２０Ｂ）の映像源側（＋Ｙ（ＳＹ）側）の面に入射する。そして、光学シート２０に入射した映像光Ｌは、第１光学層２１を透過して、第１光学層２１と第２光学層２２との間の第１の界面の第１の単位形状２１ａによって、第２の方向（ＳＸ方向）に微少に拡散して第２光学層２２内を透過する。
第２光学層２２を透過した映像光Ｌは、第２光学層２２と第３光学層２３との間の第２の界面に形成された第２の単位形状２３ａによって、第４の方向（ＳＺ方向）に微少に拡散し、第３光学層２３を透過して光学シート２０の観察者側（−Ｙ（ＳＹ）側）の面から出射する。
光学シート２０を透過した映像光Ｌは、レンズ１２（１２Ａ，１２Ｂ）へ入射する。そして、レンズ１２により、映像光Ｌが拡大され、観察者側（−Ｙ（ＳＹ）側）へ出射する。
【００４７】
映像光Ｌは、光学シート２０により第２の方向（ＳＸ方向）及び第４の方向（ＳＺ方向）に微少に拡散させられる。そのため、レンズ１２により画像が拡大されても、観察者の眼Ｅによって視認される画像には、図５に示すように、比較例の表示装置５の場合と比べて（図６（ｂ）参照）、映像源１１の非画素領域Ｇ２が起因となる非映像領域Ｆ２が目立ってしまうことを極力抑制することができ、鮮明な映像を表示することができる。
しかも、上述のように、映像源１１と光学シート２０との間には、十分な距離Ｄ１が設けられているので、映像光を適度に拡散させて非映像領域Ｆ２が目立って観察されることを抑制でき、かつ、画素領域Ｇ１及び非画素領域Ｇ２によるモアレ等の発生も十分抑制できる。
【００４８】
ここで、光学シート２０の映像源１１に対してのＳＸ−ＳＺ面内の回転方向における配置について説明する。
先にも述べたように、各画素は、間隔を空けて配置されており、この間隔部分を目立たなくするように、光学シート２０が映像光を拡散させる。先の図２に示したように、本実施形態では、映像源１１のＸ−Ｚの方向に対して、光学シート２０のＳＸ−ＳＺの方向を角度θだけ傾けて配置している。多くの場合、この角度θは、０度、すなわち、光学シート２０を映像源１１に対して傾けて配置しなくても、良好な画像を観察することができる。しかし、映像源１１は、多くの種類が想定され、また、光学シート２０の具体的な形状も多くの種類が作製可能である。また、光学シート２０の配置位置も、適宜設計変更が可能である。これら多くの組合せの中には、光学シート２０に起因して、拡大観察される映像にわずかな色にじみが生じる場合がある。これは、互いに隣接する異なる発光色の画素からの光が、混色されて他の色として観察されることが主な原因であることが研究の結果、判明した。
【００４９】
この色にじみを解消する技術を様々検討した結果、図２に示したように、光学シート２０を映像源１１に対して傾けて配置することが有効であるとの結論に達した。光学シート２０を映像源１１に対して傾けて配置することにより、光学シート２０による拡散方向が映像源１１の各画素の配列方向と不一致となって、混色が抑制されて、色にじみを解消できる。
【００５０】
図７は、角度θと色にじみとの関係を評価した結果をまとめた図である。
図７の結果は、本実施形態の図２に示した角度θを徐々に変えて光学シート２０を配置し、色にじみを実際に観察した結果である。評価は、本来白色となるように映像源１１を発光させた状態で実際に目視で観察して行った。この結果から光学シート２０は、θを５度から４０度の範囲となるように配置することが望ましいことがわかる。また、光学シート２０は、θを１０度から１５度、及び、３０度から３５度の範囲となるように配置することがより望ましいことがわかる。
【００５１】
そして、光学シート２０をどの方向に配置すれば効果的であるかについて、さらに検討を行った結果、画素の配列において、同色の画素同士の距離とその方向が重要なパラメータの１つであることが判明した。具体的には、同色の画素同士の距離が近い部分ほど、色にじみに影響を及ぼすので、同色の画素同士の距離が近い順に、その向きを特定した。
【００５２】
図８は、映像源１１の画素配列の例を示す図であって、緑（Ｇ）の画素の間隔について説明する図である。
液晶ディスプレイや有機ＥＬディスプレイでは、通常、赤（Ｒ）、緑（Ｇ）、青（Ｂ）の各色の画素を多数配列した表示領域を備えている。図８に示した本実施形態の例は、ペンタイル（Ｐｅｎｔｉｌｅ）配列の有機ＥＬディスプレイの場合である。なお、図８中で、赤（Ｒ）、緑（Ｇ）、青（Ｂ）の各色の画素をそれぞれ、Ｒ，Ｇ，Ｂの文字を付した丸で表している。ペンタイル配列では、緑（Ｇ）の数が、赤（Ｒ）及び青（Ｂ）の数の２倍となっている。
【００５３】
本実施形態では、緑（Ｇ）が他の色よりも多く配置されていることから、緑（Ｇ）の画素同士の距離が最も近くなっている。
図８中には、ある緑（Ｇ）の画素を中心として、そこから他の緑（Ｇ）の画素までを半径とした円を二点鎖線で示した。また、中心とした画素から上記他の緑（Ｇ）の画素へ延ばした直線がＸ方向となす角度を併記した。
図８を参照すると、同一色の画素同士の距離が最も近接しているのは、距離Ｑ１の方向であり、Ｘ方向とのなす角度は、０度の方向である。この方向を第１近接配列方向として規定する。なお、この距離Ｑ１の方向は、９０度回転した方向にも同様に存在している。
また、第１近接配列方向とは異なる方向であって、第１近接配列方向の次に同一色の画素同士の距離が近接している方向を第２近接配列方向として規定した場合、これは、距離Ｑ２の方向であり、Ｘ方向とのなす角度は、４５度の方向である。
さらに、第１近接配列方向及び第２近接配列方向とは異なる方向であって、第２近接配列方向の次に同一色の画素同士の距離が最も近接している方向を第３近接配列方向として規定した場合、これは、Ｑ３の方向であり、Ｘ方向とのなす角度は、２６．６度の方向である。
【００５４】
さらに、第１近接配列方向及び第２近接配列方向及び第３近接配列方向とは異なる方向であって、第３近接配列方向の次に同一色の画素同士の距離が最も近接している方向を第４近接配列方向として規定した場合、これは、赤（Ｒ）及び青（Ｂ）の画素に関するものとなる。
図９は、映像源１１の画素配列の例を示す図であって、青（Ｂ）の画素の間隔について説明する図である。
第４近接配列方向となるのは、図９に示したＱ４の方向あり、Ｘ方向とのなす角度は、１８．４度の方向である。
なお、第２近接配列方向（Ｑ２）と、第３近接配列方向（Ｑ３）と、第４近接配列方向（Ｑ４）についても、第１近接配列方向と同様に、９０度回転した方向にも同様に存在している。
【００５５】
上述の第１近接配列方向（Ｘ方向からの角度＝０度）、第２近接配列方向（Ｘ方向からの角度＝４５度）、第３近接配列方向（Ｘ方向からの角度＝１８．４度）、第４近接配列方向（Ｘ方向からの角度＝２６．６度）の方向のそれぞれに対して、第１の単位形状２１ａの第２の方向及び第２の単位形状２３ａの第４の方向が角度を持って配置されていることが色にじみを防止するためには望ましい。
図１０は、角度θをどのような角度とすることが望ましいかを説明する図である。
図１０の上方には、先の図７の評価結果をその下の角度スケールに対応して示している。また、図１０の下方には、上述の第１〜第４近接配列方向を、先の角度スケールに対応して示している。
【００５６】
（条件１）
先ず、第１近接配列方向及び第２近接配列方向の付近では、目視評価の結果が非常によくない。そして、第１近接配列方向及び第２近接配列方向から５度離れた角度位置では、評価結果が△でまずまずの結果が得られている。よって、第１近接配列方向及び第２近接配列方向から５度以上離れた角度にθを設定することが望ましいといえる。よって、θは、５度から４０度の範囲とすることが好ましい。
これを第１近接配列方向及び第２近接配列方向との関係で書き換えると以下のようになる。
第１の単位形状２１ａの第２の方向（ＳＸ方向）及び第２の単位形状２３ａの第４の方向（ＳＺ方向）は、第１近接配列方向及び第２近接配列方向に対して５度以上の角度を持って配置することが好ましい。
【００５７】
（条件２）
また、第３近接配列方向及び第４近接配列方向に近い角度範囲では、目視評価の結果が好ましくない結果となっており、これらに近い角度のθとすることは、よくないことが分かる。また、上記条件１では許容した５度及び４０度の角度位置であっても、若干の色にじみが発生しているので、この部分ももう少し余裕を持った方が望ましいと考えられる。
したがって、図１０の中からより好ましい範囲として、６度から１５．４度の範囲、及び、２９．６度から３９度の範囲が設定できる。
これを第１から第４近接配列方向との関係で書き換えると以下のようになる。
第１の単位形状２１ａの第２の方向（ＳＸ方向）及び第２の単位形状２３ａの第４の方向（ＳＺ方向）は、第１近接配列方向及び第２近接配列方向に対して６度以上の角度を持って配置されており、かつ、第１の単位形状２１ａの第２の方向（ＳＸ方向）及び第２の単位形状２３ａの第４の方向（ＳＺ方向）は、第３近接配列方向及び第４近接配列方向に対して３度以上の角度を持って配置されていることが好ましい。
【００５８】
このような配置とすることにより、本実施形態の表示装置１は、色にじみの少ない、又は、色にじみのない、より良好な画像を表示可能である。
【００５９】
次に、本実施形態の表示装置１に用いられる光学シート２０の製造方法について説明する。
上述したように、光学シート２０の第１光学層２１及び第３光学層２３に設けられた第１の単位形状２１ａ、第２の単位形状２３ａは、互いに同じ形状に形成されているため、まず、この凸状の単位形状に対応する凹形状が設けられた金型を使用して、単位形状が形成されたシート状部材を押出成形法や、射出成形法等により形成する。
それから、単位形状が形成されたシート状部材を、所定の寸法に裁断して、第１光学層２１及び第３光学層２３を得る。
このように、第１の単位形状２１ａ及び第２の単位形状２３ａが同形状に形成されている場合、１枚のシート状部材から第１光学層２１及び第３光学層２３を同時に切り出すことができ、光学シート２０の製造効率を向上させることができる。
【００６０】
続いて、第１光学層２１の第１の単位形状２１ａ側の面上に、第２光学層２２を形成する樹脂を充填し、その樹脂と、第３光学層２３の第２の単位形状２３ａ側の面とを貼り合わせて、第１光学層２１及び第３光学層２３間に所定の距離を設けた状態で樹脂を硬化させる。このとき、第１光学層２１及び第３光学層２３は、第１の単位形状２１ａの延在方向と第２の単位形状２３ａの延在方向とが互いに交差（直交）するようにして配置される。
これにより、第１光学層２１、第２光学層２２、第３光学層２３が順次積層された状態となる。さらに、第１光学層２１の表面（第２光学層２２側とは反対側の面）に、反射抑制層２４を設けることにより、光学シート２０が完成する。
【００６１】
以上より、本実施形態の表示装置１は、映像源１１とレンズ１２との間に、少なくとも２層以上の光学層を有し、各光学層間の界面に第１の単位形状２１ａ，第２の単位形状２３ａが複数形成された光学シート２０を備える。また、第１の単位形状２１ａ，第２の単位形状２３ａが界面に形成された隣接する光学層の第１の屈折率差Δｎ１，第２の屈折率差Δｎ２が、それぞれ０．００５≦Δｎ１≦０．１、０．００５≦Δｎ２≦０．１を満たす。さらに、映像源１１の表示面１１ａから光学シート２０の映像源側（＋Ｙ（ＳＹ）側）の面までの距離Ｄ１は、画素領域Ｇ１の配列ピッチｄの１００倍以上である。これにより、表示装置１は、映像源１１から出射した映像光Ｌを微少に拡散することができ、観察者に鮮明な映像を表示するとともに、映像源１１の非画素領域Ｇ２が起因となる非映像領域Ｆ２が観察者に視認されてしまうことを抑制することができる。
【００６２】
また、本実施形態の表示装置１は、上述のように、レンズ１２よりも映像源側（＋Ｙ（ＳＹ）側）に光学シート２０が位置する。したがって、映像源１１が表示装置１（筐体３０）から外された状態であったとしても、侵入した埃やごみ等の異物からレンズ１２を保護することができ、異物によってレンズ１２が破損したり汚れたりすることがない。さらに、光学シート２０の映像源側表面が汚れたり曇ったりした場合等にも、単位形状を傷つけることなく、ふき取ることが可能である。
また、本実施形態の表示装置１は、映像源１１と光学シート２０とがＹ（ＳＹ）方向において一体となって移動可能であり、Ｙ（ＳＹ）方向においてピント調整の等のために映像源１１を動かした場合にも、映像源１１と光学シート２０との間の距離Ｄ１を一定としたままＹ（ＳＹ）方向に移動可能である。したがって、非画素領域Ｇ２に起因する非映像領域Ｆ２が観察者に視認されることを抑制する光学シート２０の拡散効果を維持したままピント調整作業を行うことができる。
また、本実施形態の表示装置１は、光学シート２０の映像源側（入光側、＋Ｙ（ＳＹ）側）の面に反射抑制層２４を備え、レンズ１２の映像源側の面に反射抑制層１２ａを備えているので、迷光を抑制し、映像の明るさやコントラストを向上できる。
【００６３】
また、本実施形態の表示装置１は、第１の単位形状２１ａが、凸状であって、光学シート２０の厚み方向（Ｙ（ＳＹ）方向）に直交するシート面（ＳＸ−ＳＺ面）内のＳＺ方向（第１の方向）に延在し、シート面内のＳＺ方向に直交するＳＸ方向（第２の方向）に配列され、光学シート２０の厚み方向及び配列方向に平行な断面（ＳＸ−ＳＹ面）における断面形状が略円弧状に形成されている。同様に、第２の単位形状２３ａが、凸状であって、光学シート２０の厚み方向（Ｙ（ＳＹ）方向）に直交するシート面（ＳＸ−ＳＺ面）内のＳＸ方向に延在し、シート面内のＳＸ方向に直交するＳＺ方向に配列され、光学シート２０の厚み方向及び配列方向に平行な断面（ＳＹ−ＳＺ面）における断面形状が円弧状に形成されている。これにより、表示装置１は、第１の単位形状２１ａ，第２の単位形状２３ａを通過する映像光を効率よく均等に拡散させることができる。
【００６４】
また、本実施形態の表示装置１は、光学シート２０に入射角度０で入射した透過光における半値角αが０．０５°≦α≦０．２°を満たし、最大輝度が１／２０となる光学シート２０の拡散角βが、β≦５×αを満たすようにして形成されている。これにより、映像源１１から出射した映像光Ｌを微少に拡散することができ、観察者に鮮明な映像を表示するとともに、映像源１１の非画素領域Ｇ２が起因となる非映像領域Ｆ２が観察者に視認されてしまうことを抑制する効果を高めることができる。
【００６５】
さらに、本実施形態の表示装置１は、光学シート２０が３層以上の光学層を有しており、隣り合う光学層間の各界面に設けられた第１の単位形状２１ａ及び第２の単位形状２３ａのシート面内における延在方向（Ｚ方向、Ｘ方向）が、光学シート２０の厚み方向から見て直交（交差）している。これにより、表示装置１は、映像源１１から出射した映像光を複数の方向に拡散させることができ、映像源１１の非画素領域が起因となる非映像領域をより効果的に目立たなくすることができる。
【００６６】
また、本実施形態の表示装置１は、光学シート２０に関して、第１の単位形状２１ａの第２の方向（ＳＸ方向）及び第２の単位形状２３ａの第４の方向（ＳＺ方向）は、第１近接配列方向及び第２近接配列方向に対して５度以上の角度を持って配置している。
さらに、本実施形態の表示装置１は、光学シート２０に関して、第１の単位形状２１ａの第２の方向（ＳＸ方向）及び第２の単位形状２３ａの第４の方向（ＳＺ方向）は、第１近接配列方向及び第２近接配列方向に対して６度以上の角度を持って配置されており、かつ、第１の単位形状２１ａの第２の方向（ＳＸ方向）及び第２の単位形状２３ａの第４の方向（ＳＺ方向）は、第３近接配列方向及び第４近接配列方向に対して３度以上の角度を持って配置されている。
このような配置とすることにより、本実施形態の表示装置１は、映像源の画素間に存在する非画素領域が起因となる非映像領域が視認されてしまうことを抑制した上で、色にじみのないより良好な画像を表示可能である。
【００６７】
なお、第１光学層２１の第１の単位形状２１ａ及び第３光学層２３の第２の単位形状２３ａの各配列方向や、各配列方向及び光学シート２０の厚み方向に沿った断面での第１の単位形状２１ａ，第２の単位形状２３ａの断面形状に関しては、上述の例に限らず、適宜変更してよい。
以下に、本実施形態の表示装置１に用いられる光学シート２０の他の形態について説明する。
【００６８】
図１１は、光学シート２０の別の形態を説明する図である。図１１（ａ）は、厚み方向（Ｙ（ＳＹ）方向）に平行であって、ＳＸ方向に平行な断面（ＳＸ−ＳＹ断面）における断面図であり、図１１（ｂ）は、厚み方向（Ｙ（ＳＹ）方向）に平行であってＳＺ方向に平行な断面（ＳＹ−ＳＺ断面）における断面図である。
先の図３に示した光学シート２０は、第１の単位形状２１ａ，第２の単位形状２３ａは、その断面形状が略円弧状に形成されていたが、これに限定されるものでない。
【００６９】
例えば、第１の単位形状２１ａ，第２の単位形状２３ａは、その断面形状が図１１に示すように断面形状が略三角形状、いわゆるプリズム形状に形成されている。ここで、略三角形状とは、二等辺三角形や、正三角形等を含む三角形状だけでなく、三角形状の頂部が曲面や平面に面取りされた形状や、三角形状の斜面が微小に湾曲された形状等も含むものをいう。
【００７０】
光学シート２０をこのような形態としても、上述の実施形態と同様に、映像源１１から出射した映像光を微少に拡散させ、図４に示すように、その拡散された映像光によって、非画素領域Ｇ２が起因となる非映像領域Ｆ２が観察者に視認されてしまうことを抑制することができる。
また、光学シート２０を配置する向きを、先に説明した角度θの値を適切な範囲となるようにすることにより、色にじみを防止できる。
【００７１】
図１２は、光学シート２０に設けられる第１の単位形状２１ａの別の形態を示す図である。図１２の各図は、それぞれ図１１（ａ）のａ部を拡大した図に相当するものであるが、第１の単位形状２１ａの形状が図１１とは異なっている。図１２は、第１光学層２１の第１の単位形状２１ａの別の形態について図示するが、第３光学層２３の第２の単位形状２３ａについても同様である。
例えば、図１２（ａ）に示すように、同断面における三角形状の頂部が曲面Ｓ１により形成される形態としてもよいし、図１２（ｂ）に示すように、三角形状の頂部が平坦面Ｓ２により形成される形態としてもよい。
また、図１２（ｃ）に示すように、同断面における三角形状の斜面が平坦な面ではなく微少に湾曲した曲面Ｓ３、Ｓ４により形成されるようにしてもよい。
各単位形状を上述のような形態とした光学シートは、図３に示す光学シートと同様の効果を奏することができる。
【００７２】
図１３は、本実施形態の表示装置１に用いられる光学シート２０の他の形態を説明する図である。図１３（ａ）は、光学シート２０の水平面（ＳＸ−ＳＹ面）に平行な断面における断面図であり、図１３（ｂ）は、図１３（ａ）のｂ部断面図である。図１３（ｃ）は、図１３（ａ）のｃ部詳細を示す図であり、図１３（ｄ）は、図１３（ｂ）のｄ部詳細を示す図である。
図１３に示す光学シート２０は、第１光学層２１及び第２光学層２２の界面に凸状の第１の単位形状２１ａが複数形成され、第２光学層２２及び第３光学層２３の界面に凸状の第２の単位形状２３ａが複数形成されている。
【００７３】
第１光学層２１の観察者側（−Ｙ（ＳＹ）側）の面には、図１３（ａ）に示すように、第１の単位形状２１ａと平坦部２１ｂとが交互に設けられている。この第１の単位形状２１ａ及び平坦部２１ｂは、第１光学層２１の観察者側の面に沿うようにして、ＳＺ方向に延在し、ＳＸ方向に複数配列されている。
また、第３光学層２３の映像源側（＋Ｙ（ＳＹ）側）の面は、図１３（ｂ）に示すように、第２の単位形状２３ａと平坦部２３ｂとが交互に複数形成されている。この第２の単位形状２３ａ及び平坦部２３ｂは、第３光学層２３の映像源側の面に沿うようにして、ＳＸ方向に延在し、ＳＺ方向に複数配列されている。
第３光学層２３に設けられた第２の単位形状２３ａ及び平坦部２３ｂは、その延在方向（ＳＸ方向）が、上述の第１光学層２１に設けられた第１の単位形状２１ａ及び平坦部２１ｂの延在方向（ＳＺ方向）と交差（直交）している。
【００７４】
図１３に示す他の形態の光学シート２０において、第１の単位形状２１ａは、図１３（ｃ）に示すように、第１光学層２１の観察者側の面（−Ｙ（ＳＹ）側の面）から凸となり、ＳＸ−ＳＹ断面における断面形状が略円弧状になるように形成されている。ここで、略円弧状とは、真円の円弧だけでなく、楕円や長円等の一部を含む曲線状の形状を含むものをいう。
図１３に示す光学シート２０では、第１の単位形状２１ａは、円弧状に形成されており、その曲率半径がＲ１であり、ＳＸ方向における幅寸法がＷ１である。第１の単位形状２１ａ（平坦部２１ｂ）のＳＸ方向における配列ピッチはＰ１である。
【００７５】
同様に、第２の単位形状２３ａは、図１３（ｄ）に示すように、第３光学層２３の映像源側の面（＋Ｙ（ＳＹ）側の面）から凸となり、ＳＹ−ＳＺ断面における断面形状が略円弧状に形成されている。図１３に示す光学シート２０では、第２の単位形状２３ａは、円弧状に形成されており、その曲率半径がＲ２であり、ＳＺ方向における幅寸法はＷ２である。第２の単位形状２３ａ（平坦部２３ｂ）のＳＺ方向における配列ピッチは、Ｐ２である。
さらに、第１光学層２１及び第３光学層２３に設けられた各単位形状及び各平坦部は、それぞれ同等の寸法に形成されており、例えば、Ｗ１＝Ｗ２＝０．１ｍｍ、Ｐ１＝Ｐ２＝０．２４ｍｍ、Ｒ１＝Ｒ２＝０．５ｍｍである。
【００７６】
図１３に示す光学シート２０では、第１の単位形状２１ａの配列ピッチＰ１及び第２の単位形状２３ａの配列ピッチＰ２は、０．１ｍｍ≦Ｐ１≦０．５ｍｍ、０．１ｍｍ≦Ｐ２≦０．５ｍｍを満たすことが好ましい。
仮に、配列ピッチＰ１，Ｐ２が０．１ｍｍ未満である場合、単位形状の配置間隔が細かくなりすぎてしまい、回折光の影響が大きくなり、映像が不鮮明になるので望ましくない。また、単位形状の製造も困難となる。
また、仮に、Ｐ１、Ｐ２が０．５ｍｍよりも大きい場合、第１の単位形状２１ａ，第２の単位形状２３ａの配置間隔が粗くなりすぎてしまい、観察者に非映像領域Ｆ２が視認されやすくなるため望ましくない。
また、図１３に示す光学シート２０において、第１光学層２１と第２光学層２２との第１の屈折率差Δｎ１、第２光学層２２と第３光学層２３との第２の屈折率差Δｎ２は、前述の実施形態と同じ範囲であることが好ましい。
【００７７】
図１２に示す光学シート２０は、映像源１１から出射され、光学シート２０の映像源側の面から入射した光のうち、平坦部２１ｂ、平坦部２３ｂを透過した光を直接観察者側に出射させるとともに、第１の単位形状２１ａに入射した光をＳＸ方向へ拡散させ、また、第２の単位形状２３ａに入射した光をＳＺ方向に拡散させて、レンズ１２側へ出射させることができる。
これにより、表示装置１は、観察者に鮮明な映像を表示するとともに、映像光の微少な拡散によって、映像源１１の非画素領域Ｇ２が起因となる非映像領域Ｆ２が目立ってしまうことを抑制することができる。特に、平坦部２１ｂ、平坦部２３ｂを透過した光は、ほとんど拡散されないため、このような形態とすることにより、観察者に届く映像光をより鮮明に表示することができる。
また、光学シート２０を配置する向きを、先に説明した角度θの値を適切な範囲となるようにすることにより、色にじみを防止できる。
【００７８】
図１４は、図１３に示す他の形態の光学シート２０の輝度と拡散角との関係を示す図である。
上述の効果を効果的に奏するために、図１３に示す光学シート２０は、図１４（ａ）に示すように、映像源側から入射角度０°で入射して観察者側から出射した透過光のＳＸ方向及びＳＺ方向における拡散角が−０．１°以上０．１°以下の範囲において、光の輝度が最大輝度に近い状態であるとともに、同拡散角が０．１°以上０．３°以下と、−０．３°以上−０．１°以下との範囲においても所定の輝度を維持するようにして形成される。
具体的には、ＳＸ方向及びＳＺ方向における拡散角が−０．１°以上０．１°以下の範囲の透過光量が、それぞれ光学シート２０を透過する全透過光量の３０％以上となり、また、ＳＸ方向及びＳＺ方向における拡散角が−０．３°以上０．３°以下の範囲の透過光量が、それぞれ光学シート２０を透過する全透過光量の９５％以上となるように形成されている。
【００７９】
さらに、図１３に示す光学シート２０のＳＸ方向及びＳＺ方向における拡散角が０．１°以上０．３°以下の範囲の透過光量が、光学シート２０を透過する全透過光量の２０％以上となり、拡散角が−０．３°以上−０．１°以下の範囲の透過光量が、光学シート２０を透過する全透過光量の２０％以上となるように形成されている。
ここで、光学シート２０の拡散角とは、光の輝度が最大値となる光学シート２０のシート面の観察位置から、ＳＸ方向及びＳＺ方向における観察角度をいう。
【００８０】
このように、図１３に示す光学シート２０の特定の拡散角の範囲における透過光量を規定することによって、本実施形態の表示装置１は、映像源１１から出射した映像光のうち、平坦部２１ｂ，２３ｂに入射した光をほとんど拡散させることなく透過させるとともに、第１の単位形状２１ａ，第２の単位形状２３ａに入射した光をＳＺ方向やＳＸ方向に微少に拡散させることができる。
これにより、表示装置１は、観察者に鮮明な映像を表示するとともに、映像光の微少な拡散によって映像源１１の非画素領域Ｇ２が起因となる非映像領域Ｆ２が目立ってしまうことを抑制することができる。特に、平坦部２１ｂ，２３ｂを透過した光はほとんど拡散されないため、このような光学シート２０を用いることにより、より鮮明な映像を観察者に届けることができ、映像のぼやけが生じてしまうことを極力抑制することができる。
【００８１】
仮に、拡散角が−０．１°以上０．１°以下における透過光量が、図１３に示す光学シート２０を透過する全透過光量の３０％未満となる場合、観察者側に届く光量が少なくなりすぎてしまい、映像の鮮明さが失われ、ぼやけてしまうので望ましくない。
また、拡散角が−０．３°以上０．３°以下における透過光量が、図１３に示す光学シート２０を透過する全透過光量の９５％未満となる場合、観察者側に届く映像の光量が少なくなりすぎてしまい、映像が暗くなってしまうので望ましくない。
さらに、拡散角が０．１°以上０．３°以下における透過光量と、拡散角が−０．３°以上−０．１°以下における透過光量とが、それぞれ図１３に示す光学シート２０を透過する全透過光量の２０％未満となる場合、第１の単位形状２１ａ，第２の単位形状２３ａによる映像光の微少な拡散が少なくなりすぎてしまい、映像源１１の非画素領域Ｇ２が起因となる非映像領域Ｆ２が目立ちやすくなってしまうので望ましくない。
【００８２】
さらに、図１３に示す他の形態の光学シート２０では、光学シート２０のＳＸ方向及びＳＺ方向における拡散角が−０．１°以上０．１°以下の範囲の透過光量が、光学シート２０を透過する全透過光量の３０％以上であり、拡散角が０．５×ｓｉｎ−１（ｄ／Ｄ２）以上、５×ｓｉｎ−１（ｄ／Ｄ２）以下の範囲の透過光量が、全透過光量の２０％以上であり、拡散角が−５×ｓｉｎ−１（ｄ／Ｄ２）以上、−０．５×ｓｉｎ−１（ｄ／Ｄ２）以下の範囲の透過光量が、全透過光量の２０％以上である場合においても、上述と同様の効果を奏することができる。
すなわち、表示装置１は、映像源１１から出射した映像光をＳＺ方向やＳＸ方向に微少に拡散することができ、観察者にぼやけの少ない鮮明な映像を表示するとともに、映像源１１の非画素領域Ｇ２が起因となる非映像領域Ｆ２が観察者に視認されてしまうことを抑制することができる。また、表示装置１の仕様（画素の配列ピッチｄや、観察者の眼Ｅと表示面１１ａとの距離Ｄ２）に合わせて、適宜、特定の拡散角の範囲を規定することができるので、より効率よく鮮明な映像の表示と、非映像領域Ｆ２の視認の抑制とを実現することができる。
また、光学シート２０を配置する向きを、先に説明した角度θの値を適切な範囲となるようにすることにより、色にじみを防止できる。
【００８３】
図１５、図１６、図１７は、図１３に示す光学シート２０の別の形態を説明する図である。図１５（ａ）、図１６（ａ）、図１７（ａ）は、それぞれ図１３（ａ）に対応する図であり、また、図１５（ｂ）、図１６（ｂ）、図１７（ｂ）は、それぞれ図１３（ｂ）に対応する図である。
図１３に示す他の形態の光学シート２０において、第１の単位形状２１ａは、例えば、図１５に示すように、第１光学層２１の観察者側（−Ｙ（ＳＹ）側）の面から凸となり、ＳＸ−ＳＹ断面における断面形状が三角形状に形成され、第２の単位形状２３ａが、第３光学層２３の映像源側（＋Ｙ（ＳＹ）側）の面から凸となり、ＳＹ−ＳＺ断面における断面形状が三角形状である形態としてもよい。
【００８４】
また、第１の単位形状２１ａ，第２の単位形状２３ａは、凸状ではなく、凹状であってもよい。
例えば、図１６に示すように、第１の単位形状２１ａは、第１光学層２１の観察者側（−Ｙ（ＳＹ）側）の面から窪んだ凹状であり、そのＳＸ−ＳＹ断面における断面形状は、円弧状に形成された２つの凸面がＳＸ方向において互いに対向する形態としてもよい。
同様に、第２の単位形状２３ａは、第３光学層２３の映像源側（＋Ｙ（ＳＹ）側）の面から窪んだ凹状であり、そのＳＸ−ＳＹ断面における断面形状は、円弧状に形成された２つの凸面がＳＺ方向において互いに対向する形態としてもよい。
【００８５】
さらに、図１７に示すように、ＳＸ−ＳＹ断面における断面形状が三角形状であって、第１光学層２１の観察者側の面（−Ｙ（ＳＹ）側の面）から窪んだ凹状である第１の単位形状２１ａと、ＳＹ−ＳＺ断面における断面形状が三角形状であって、第３光学層２３の映像源側の面（＋Ｙ（ＳＹ）側の面）から窪んだ凹状である第２の単位形状２３ａを備える形態としてもよい。
上述のような凸状又は凹状の形態としても、表示装置１は、映像源１１から出射された光のうち、平坦部２１ｂ、平坦部２３ｂを透過した光をほとんど拡散させることなく観察者側に出射させるとともに、第１の単位形状２１ａに入射した光をＳＸ方向へ微少に拡散させ、また、第２の単位形状２３ａに入射した光をＳＺ方向に微少に拡散させて観察者側へ出射させることができる。
これにより、表示装置１は、観察者にぼやけの少ない鮮明な映像を表示するとともに、映像光の微少な拡散によって映像源１１の非画素領域Ｇ２に起因する非映像領域Ｆ２が目立って観察されることを抑制することができる。
また、光学シート２０を配置する向きを、先に説明した角度θの値を適切な範囲となるようにすることにより、色にじみを防止できる。
【００８６】
図１８は、光学シート２０の別の形態を説明する図である。図１８（ａ）は、厚み方向（Ｙ（ＳＹ）方向）に平行であって、左右方向（ＳＸ方向）に平行な断面（ＳＸ−ＳＹ断面）における断面図であり、図１８（ｂ）は、厚み方向（ＳＹ方向）に平行であって鉛直方向（ＳＺ方向）に平行な断面（ＳＹ−ＳＺ断面）における断面図である。図１８（ｃ）は、第１光学層２１を観察者側（−Ｙ（ＳＹ）側）の面から見た斜視図である。
光学シート２０は、図１８に示すように、第１光学層２１及び第２光学層２２の２層から構成される形態とし、第１光学層２１の観察者側（−Ｙ（ＳＹ）側）の面に略四角錐形状の単位形状２１ａが、鉛直方向及び左右方向に複数隙間なく配列されるようにしてもよい。ここで、略四角錐形状とは、完全な四角錐の形状だけでなく、四角錐の頂部が曲面や平面に面取りされた形状や、四角錐の各三角形状の斜面が微小に湾曲された形状等も含むものをいう。
【００８７】
光学シート２０を図１８に示す形態としても、映像源１１から出射した映像光を微少に拡散させ、その拡散された映像光によって、非画素領域Ｇ２が起因となる非映像領域Ｆ２が観察者に視認されてしまうことを抑制することができる。また、上述の図３に示す光学シート２０や図１３に示す光学シート２０等に比べて層構成を減らすことができ、光学シート２０を薄型化したり、軽量化したりすることが可能となる。さらに、光学シート２０をより容易に安価に製造することも可能となる。
また、光学シート２０を配置する向きを、先に説明した角度θの値を適切な範囲となるようにすることにより、色にじみを防止できる。
【００８８】
図１９は、光学シート２０の別の形態を説明する図である。図１９は、図２と同様な方向から見た図である。
光学シート２０は、左右の目それぞれに対応して独立して設ける必要はなく、例えば、図１９（ａ）に示すように、左右それぞれの領域の間を繋げた異形の形状としてもよい。また、光学シート２０は、図１９（ｂ）に示したように長方形形状としてもよい。このような形状とすれば、光学シート２０のＳＸ方向及びＳＺ方向をＸ方向及びＺ方向に対して所定の角度θだけ傾けて配置することが容易になる。なお、図１９のような形態にしても、対称形状になっているので、光学シート２０の方向を示す指標を設けたり、非対称形状にしたりしてもよい。
【００８９】
図２０は、本実施形態の頭部装着型の表示装置１の他の形態を説明する図である。
図２０に示すように、光学シート２０をレンズ１２よりも観察者側（−Ｙ側）に配置してもよい。このような配置を採用しても、表示装置１は、観察者にぼやけの少ない鮮明な映像を表示するとともに、映像光の微少な拡散によって映像源１１の非画素領域Ｇ２に起因する非映像領域Ｆ２が目立って観察されることを抑制することができる。
また、光学シート２０を配置する向きを、先に説明した角度θの値を適切な範囲となるようにすることにより、色にじみを防止できる。
【００９０】
（変形形態）
以上説明した実施形態等に限定されることなく、種々の変形や変更が可能であって、それらも本発明の範囲内である。
【００９１】
（１）本実施形態において、第１の単位形状２１ａが配列されている第２の方向と、第２の単位形状２３ａが配列されている第４の方向との双方を、第１近接配列方向及び第２近接配列方向等に対して角度を持って配置する例を挙げて説明した。これに限らず、例えば、第２の方向のみを第１近接配列方向及び第２近接配列方向等に対して角度を持って配置し、第４の方向については、第１近接配列方向又は第２近接配列方向と同一の方向としてもよい。このような場合であっても、色にじみを防止する効果を得ることが可能である。
【００９２】
（２）本実施形態等において、第１の単位形状２１ａが延在する第１の方向と、第２の単位形状２３ａが延在する第３の方向とは、直交している例を挙げて説明した。これに限らず、例えば、第１の単位形状２１ａが延在する第１の方向と、第２の単位形状２３ａが延在する第３の方向とが９０度以外の角度を持って交差する構成としてもよい。その場合であっても、第１の単位形状２１ａが配列されている第２の方向と、第２の単位形状２３ａが配列されている第４の方向を、第１近接配列方向及び第２近接配列方向に対して５度以上の角度を持って配置すれば、色にじみを抑えることが可能である。
また、第２の方向及び第４の方向を、第１近接配列方向及び第２近接配列方向に対して６度以上の角度を持って配置し、第２の方向及び第４の方向を、第３近接配列方向及び第４近接配列方向に対して３度以上の角度を持って配置すれば、色にじみを抑える効果をさらに高めることができる。
【００９３】
（３）本実施形態等において、光学シート２０のシート面内における回転方向の位置を映像源１１に対して規定するための位置決め形状（２０ａ，３２１ａ）を備えた例を挙げて説明した。これに限らず、例えば、光学シート及び保持部に、位置決め指標を設けてもよい。
【００９４】
（４）本実施形態において、光学シート２０は、２種類の単位光学形状を備えて、２方向の拡散を行う例を挙げて説明した。これに限らず、例えば、１種類のみ、すなわち、一方向のみの拡散を行う形態としてもよいし、３種類以上（３方向以上）に拡散を行う形態としてもよい。
【００９５】
なお、実施形態及び変形形態は、適宜組み合わせて用いることもできるが、詳細な説明は省略する。また、本発明は、以上説明した実施形態等によって限定されることはない。
【符号の説明】
【００９６】
１      表示装置
５      表示装置（従来）
１１    映像源
１１ａ  表示面
１２    レンズ
１２Ａ  レンズ
１２Ｂ  レンズ
１２ａ  反射抑制層
２０    光学シート
２０Ａ  光学シート
２０Ｂ  光学シート
２０ａ  凸部
２１    第１光学層
２１ａ  第１の単位形状
２１ｂ  平坦部
２２    第２光学層
２３    第３光学層
２３ａ  第２の単位形状
２３ｂ  平坦部
２４    反射抑制層
３０    筐体
３１    保持部
３２    保持部
３３    保持部
５１    映像源
５２    レンズ
３１１  開口部
３２１  開口部
３２１ａ    凹部
３３１  開口部
【図１】
2018063319.tif 000003
【図２】
2018063319.tif 000004
【図３】
2018063319.tif 000005
【図４】
2018063319.tif 000006
【図５】
2018063319.tif 000007
【図６】
2018063319.tif 000008
【図７】
2018063319.tif 000009
【図８】
2018063319.tif 000010
【図９】
2018063319.tif 000011
【図１０】
2018063319.tif 000012
【図１１】
2018063319.tif 000013
【図１２】
2018063319.tif 000014
【図１３】
2018063319.tif 000015
【図１４】
2018063319.tif 000016
【図１５】
2018063319.tif 000017
【図１６】
2018063319.tif 000018
【図１７】
2018063319.tif 000019
【図１８】
2018063319.tif 000020
【図１９】
2018063319.tif 000021
【図２０】
2018063319.tif 000022